(57)【特許請求の範囲】
【請求項１】
直流電力生成手段と；
前記直流電力生成手段により供給される電源電圧を昇圧する昇圧手段と；
前記昇圧手段の動作を制御する昇圧制御手段と；
前記昇圧手段により昇圧した電圧を降圧する降圧手段と；
前記降圧手段の動作を制御し、半導体発光素子に流れる電流を制御する降圧制御手段と；
前記降圧手段の出力から前記昇圧制御手段に電力を供給する第１電力供給手段と；
前記降圧手段の出力から前記降圧制御手段に電力を供給する第２電力供給手段と；
消灯信号が入力されると、前記降圧手段の動作を停止させて前記降圧手段からの出力を停止することにより、前記第１電力供給手段への電力供給を停止するとともに、前記昇圧手段を停止させる消灯手段と；
を具備することを特徴とする電源回路。
【請求項２】
前記直流電力生成手段により生成される直流電力を前記降圧手段に供給して前記降圧手段を始動させることにより、前記昇圧制御手段への電力の供給を開始する始動手段を具備することを特徴とする請求項１に記載の電源回路。
【請求項３】
前記半導体発光素子と；
請求項１又は２に記載の電源回路と；
前記電源回路が設けられる器具本体と；
を具備することを特徴とする照明装置。 
【発明の詳細な説明】
【技術分野】
【０００１】
本発明は、例えば、ＬＥＤ（発光ダイオード）などの半導体発光素子を点灯する電源回路、及び照明装置に関する。
【背景技術】
【０００２】
近年、半導体発光素子としてＬＥＤ素子を備えるＬＥＤ照明装置が実用化されている。ＬＥＤ照明装置は、電源回路とＬＥＤ素子とを備える。電源回路は、商用電源から供給される電力に対して整流、昇圧、及び降圧を行う。これにより、電源回路は、ＬＥＤに流れる電流を制御する。発光素子は、電流が供給される場合、光を放射する。
【０００３】
また、例えば特許文献１には、電力の昇圧を行う昇圧チョッパと、降圧を行う降圧チョッパとを備えるＬＥＤ点灯装置が開示されている。
【先行技術文献】
【特許文献】
【０００４】
【特許文献１】特開２００７−２３４４１５号公報
【発明の概要】
【発明が解決しようとする課題】
【０００５】
ＬＥＤ点灯装置は、消灯信号を受信する場合、半導体発光素子を消灯するように各部を制御する。半導体発光素子を消灯する方法は、降圧チョッパ（降圧回路）を停止する方法と、昇圧チョッパ（昇圧回路）を停止する方法とが考えられる。即ち、ＬＥＤ点灯装置は、半導体発光素子を消灯する場合、昇圧回路を制御する昇圧制御回路、または降圧回路を制御する降圧制御回路に消灯信号を送信することにより、昇圧制御回路、または降圧制御回路を停止させることにより、半導体発光素子の点灯が維持できないように出力を制御するものである。
【０００６】
しかし、従来、昇圧制御回路の電力は、整流を行う整流回路の出力、または、昇圧回路の出力から受け取っている為、消灯信号に応じて降圧制御回路を停止させたとしても、昇圧制御回路の動作は継続する。これにより、半導体発光素子の点灯回路内に高圧の充電部が維持される。この結果、待機電力が増加したり、ＬＥＤ点灯装置の寿命を短くする、又は、高電圧による危険性などの問題がある。
【０００７】
また、受信する消灯信号に応じて昇圧制御回路を停止させたとしても、商用電源から降圧回路へ電源が供給される経路は形成されたままである為、商用電源から供給される電力により半導体発光素子が誤点灯してしまう場合がある。
【０００８】
また、受信する消灯信号に応じて降圧制御回路と昇圧制御回路との両方を停止させる場合、消灯信号を降圧制御回路と昇圧制御回路とに接続する必要がある。即ち、回路や部品等を追加する必要があり、装置の大型化及び複雑化を招くという問題がある。
【０００９】
そこで、本発明は、簡易な構成で確実に半導体発光素子の消灯を行うことができる電源回路、及び照明装置を提供することを目的とする。
【課題を解決するための手段】
【００１０】
請求項１に記載の電源回路は、直流電力生成手段と；前記直流電力生成手段により供給される電源電圧を昇圧する昇圧手段と；前記昇圧手段の動作を制御する昇圧制御手段と；前記昇圧手段により昇圧した電圧を降圧する降圧手段と；前記降圧手段の動作を制御し、前記半導体発光素子に流れる電流を制御する降圧制御手段と；前記降圧手段の出力から前記昇圧制御回路に電力を供給する第１電力供給手段と；前記降圧手段の出力から前記降圧制御手段に電力を供給する第２電力供給手段と；消灯信号が入力されると、前記降圧手段の動作を停止させて前記降圧手段からの出力を停止することにより、前記第１電力供給手段への電力供給を停止するとともに、前記昇圧手段を停止させる消灯手段と；を具備することを特徴とする。
【００１１】
本発明及び以下の各発明において、特に言及しない限り、各構成は以下による。
【００１２】
半導体発光素子は、例えば、発光ダイオード、または有機ＥＬ素子などである。半導体発光素子は、異なる波長の光を放射する半導体発光素子が複数設けられるものであってもよい。
【００１３】
本発明によれば、電源回路は、消灯手段から消灯信号が入力すると、降圧手段の動作が停止する。そして、降圧手段が停止して降圧手段からの出力が停止するので、半導体発光素子に電流が供給されなくなる為、半導体発光素子は消灯する。また、昇圧制御手段は、降圧手段の出力から電力を受けて動作する為、消灯信号が入力して降圧手段が停止すると、その動作を停止する。昇圧手段は、昇圧制御手段から制御信号が入力されない場合、動作を停止する。即ち、電源回路は、降圧手段を停止させることにより、昇圧手段を併せて停止させることができる。
【００１４】
請求項２に記載の電源回路は、請求項１の記載において、前記直流電力生成手段により生成される直流電力を前記降圧手段に供給して前記降圧手段を始動させることにより、前記昇圧制御手段への電力の供給を開始する始動手段を具備することを特徴とする。
【００１５】
本発明によれば、電源回路は、半導体発光素子を点灯する場合、直流電力生成手段が降圧手段のスイッチをＯＮする。これにより、直流電力生成手段から出力される電流が降圧手段を介して半導体発光素子に流れる。これにより、半導体発光素子は点灯する。また、電源回路は、昇圧制御回路及び降圧制御回路に電力を供給し、動作を開始させることができる。
【００１６】
請求項３に記載の照明装置は、半導体発光素子と、請求項１又は２に記載の電源回路と；前記電源回路が設けられる器具本体と、を具備することを特徴とする。
【００１７】
本発明によれば、照明装置は、消灯信号が入力される場合、降圧手段を停止させることにより、半導体発光素子及び昇圧手段を停止させることができる。これにより、簡易な構成で確実に半導体発光素子の点灯及び消灯を行うことができる照明装置を提供することができる。
【発明の効果】
【００１８】
請求項１の発明によれば、電源回路は、消灯信号が入力される場合、降圧手段を停止させることにより、昇圧手段を併せて停止させることができるので、複雑な構成にすることなく確実に半導体発光素子を消灯することができる。
【００１９】
請求項２の発明によれば、電源回路は、半導体発光素子を点灯する場合、直流電力生成手段により降圧手段をＯＮすることにより、半導体発光素子、昇圧制御回路、及び降圧制御回路に電力を供給し、動作を開始させることができるので、複雑な構成にすることなく確実に半導体発光素子の点灯を開始することができる。
【００２０】
請求項３の発明によれば、請求項１又は２に記載の効果を有する照明装置とすることができる。
【図面の簡単な説明】
【００２１】
【図１】図１は、本発明の一実施形態に係る照明装置の構成例について説明する為の説明図である。
【図２】図２は、本発明の他の実施形態に係る照明装置の構成例について説明する為の説明図である。
【図３】図３は、本発明のさらに他の実施形態に係る照明装置の構成例について説明する為の説明図である。
【発明を実施するための形態】
【００２２】
以下、図面を参照しながら、本発明の一実施形態に係る電源回路、及び照明装置について詳細に説明する。
【００２３】
図１は、本発明の一実施形態に係る照明装置１００の構成例について説明する為の説明図である。  
照明装置１００は、電力系統１１０、整流回路１２０、昇圧回路１３０、降圧回路１４０、昇圧制御回路１５０、降圧制御回路１６０、消灯回路１７０、半導体発光素子としてのＬＥＤ１８０、及び始動回路１９０を備える。
【００２４】
電力系統１１０は、商用電源などの交流電源である。なお、電力系統１１０は、交流電源に接続する接続端子であってもよい。
【００２５】
整流回路１２０は、複数のダイオードにより構成される整流ブリッジを備える。整流回路１２０は、電力系統１１０から供給される交流電力を直流電力に整流する。
【００２６】
昇圧回路１３０は、昇圧チョッパを備える。即ち、昇圧回路１３０は、リアクトルＬ１、トランジスタＴｒ１、ダイオードＤ１、及びコンデンサＣ２を備える。トランジスタＴｒ１及びコンデンサＣ２は、整流回路１２０と並列に接続される。リアクトルＬ１は、トランジスタＴｒ１と整流回路１２０との間に接続される。ダイオードＤ１は、トランジスタＴｒ１とコンデンサＣ２との間に接続される。昇圧回路１３０は、昇圧手段として機能する。
【００２７】
降圧回路１４０は、降圧チョッパを備える。即ち、降圧回路１４０は、トランジスタＴｒ２、ダイオードＤ２、リアクトルＬ２、及びコンデンサＣ３を備える。ダイオードＤ２及びコンデンサＣ３は、コンデンサＣ２と並列に接続される。トランジスタＴｒ２は、コンデンサＣ２とダイオードＤ２との間に接続される。リアクトルＬ２は、ダイオードＤ２とコンデンサＣ３との間に接続される。降圧回路１４０は、降圧手段として機能する。
【００２８】
昇圧制御回路１５０は、予め設定されるデューティ比に基づいて、トランジスタＴｒ１のＯＮ／ＯＦＦを制御する為の制御信号を生成する。昇圧制御回路１５０は、生成した制御信号をトランジスタＴｒ１に入力することにより、トランジスタＴｒ１のＯＮ／ＯＦＦを制御する。これにより、昇圧回路１３０及び昇圧制御回路１５０は、コンデンサＣ２の両端に生じる電圧を制御する。即ち、昇圧回路１３０は、整流回路１２０の両端に生じる電圧を昇圧して出力する。
【００２９】
昇圧制御回路１５０は、降圧回路１４０のリアクトルＬ２と磁気的に接続されるリアクトルＬ３により生成される電力を受け取って動作する。リアクトルＬ３は、リアクトルＬ２を電流が通過することにより発生する磁束を受けて電力を生成し、生成した電力を昇圧制御回路１５０に供給する。
【００３０】
なお、昇圧制御回路１５０は、降圧回路１４０の内部、または降圧回路１４０の出力端子と電気的に接続することにより電力を受け取る構成であってもよい。この場合、昇圧制御回路１５０は、少なくとも、降圧回路１４０の動作に応じて電流がＯＮ／ＯＦＦする箇所から電力を受け取る。
【００３１】
降圧制御回路１６０は、ＬＥＤ１８０に流れる電流の電流値を検出する。降圧制御回路１６０は、予め設定される電流値と検出した電流値とに基づいて、トランジスタＴｒ２のＯＮ／ＯＦＦを制御する為の制御信号を生成する。降圧制御回路１６０は、生成した制御信号をトランジスタＴｒ２に入力することにより、トランジスタＴｒ２のＯＮ／ＯＦＦを制御する。これにより、降圧回路１４０及び降圧制御回路１６０は、コンデンサＣ３の両端に生じる電圧を制御する。即ち、降圧回路１４０は、コンデンサＣ３の両端に生じる電圧を制御することにより、ＬＥＤ１８０を流れる電流が一定の値になるように制御する。
【００３２】
降圧制御回路１６０は、降圧回路１４０のリアクトルＬ２と磁気的に接続されるリアクトルＬ４により生成される電力を受け取って動作する。リアクトルＬ４は、リアクトルＬ２を電流が通過することにより発生する磁束を受けて電力を生成し、生成した電力を降圧制御回路１６０に供給する。
【００３３】
なお、降圧制御回路１６０は、降圧回路１４０の内部、または降圧回路１４０の出力端子と電気的に接続することにより電力を受け取る構成であってもよい。この場合、降圧制御回路１６０は、少なくとも、降圧回路１４０の動作に応じて電流がＯＮ／ＯＦＦする箇所から電力を受け取る。
【００３４】
消灯手段として機能する消灯回路１７０は、消灯信号を降圧制御回路１６０に入力することにより、降圧制御回路１７０の動作を停止させる。これにより、消灯回路１７０は、ＬＥＤ１８０を消灯させる。消灯回路１７０は、例えば、光を検出するフォトセンサを備え、フォトセンサにより検出する光が予め設定される所定値以上である場合、消灯信号を降圧制御回路１６０に入力する。フォトセンサは、例えば、光量を検出するセンサ、赤外線センサなどにより構成される。
【００３５】
なお、消灯回路１７０は、他のセンサの検出結果に基づいて消灯信号を降圧制御回路１６０に入力する構成であってもよい。また、消灯回路１７０は、外部の操作部から信号を受け取る場合に他消灯信号を降圧制御回路１６０に入力する構成であってもよい。
【００３６】
また、消灯回路１７０は、所定時間毎に消灯信号を降圧制御回路１６０に入力する構成であってもよい。これにより、例えば、照明装置１００は、予め設定時間にＬＥＤ１８０の点灯または消灯を制御することができる。また、消灯回路１７０は、ＬＥＤ１８０を点灯してから予め設定される所定時間経過後に消灯信号を降圧制御回路１６０に入力する構成であってもよい。また、上記の構成を適宜組み合わせてもよい。本実施形態における消灯制御手段は、消灯回路１７０と、消灯回路１７０の消灯信号が入力される降圧制御回路１６０と、により構成されている。
【００３７】
ＬＥＤ１８０は、印加される電圧により流れる電流に応じて光を放射する。
【００３８】
始動回路１９０は、降圧制御回路１６０と整流回路１２０の出力端子との間に接続される配線と降圧制御回路１６０とＧＮＤとの間に接続される配線とを備える。また、始動回路１９０は、抵抗Ｒ１及び抵抗Ｒ２を備える。抵抗Ｒ１は、降圧制御回路１６０と整流回路１２０の出力端子との間に接続されている。抵抗Ｒ２は、降圧制御回路１６０とＧＮＤとの間に接続されている。
【００３９】
消灯回路１７０から消灯信号が降圧制御回路１６０に入力される場合、降圧制御回路１６０は、降圧回路１４０のトランジスタＴｒ２をＯＦＦする。これにより、リアクトルＬ２、及びコンデンサＣ３に電流が流れなくなる。この結果、ＬＥＤ１８０は消灯する。
【００４０】
また、リアクトルＬ２を電流が流れない為、リアクトルＬ３から昇圧制御回路１５０に供給される電力が途絶える。また、リアクトルＬ４から降圧制御回路１６０に供給される電力が途絶える。
【００４１】
昇圧制御回路１５０は、電源系統１１０から電力の供給を受けていない為、動作を停止する。昇圧回路１３０のトランジスタＴｒ１は、昇圧制御回路１５０から信号が入力されない為ＯＦＦする。この為、昇圧回路１３０は、動作を停止する。
【００４２】
上記したように、照明装置１００の昇圧制御回路１５０は、降圧回路１４０のトランジスタＴｒ２より後段から電力を受け取る。このように構成することにより、照明装置１００は、降圧制御回路１６０から降圧回路１４０を停止させる場合、昇圧回路１３０の動作を併せて停止させることができる。また、消灯回路１７０から昇圧制御回路１５０と降圧制御回路１６０との両方を停止させる場合と比べて、回路の構成を簡易にすることができる。
【００４３】
照明装置１００を点灯させる場合、照明装置１００は、電源系統１１０と整流回路１２０との間に設けられている図示しないスイッチをＯＮする。これにより、商用電源から整流回路に交流電力が供給される。
【００４４】
整流回路１２０は、交流電力を直流電力に変換する。整流回路１２０から出力される電圧は、始動回路１９０の抵抗Ｒ１、及び抵抗Ｒ２に印加される。抵抗Ｒ１、及び抵抗Ｒ２により分圧された電圧は、降圧回路１４０のトランジスタＴｒ２のベースに印加される。トランジスタＴｒ２は、ベースに印加される電圧により電流路をＯＮする。
【００４５】
これにより、整流回路１２０から出力される電流は、トランジスタＴｒ２、リアクトルＬ２、及びＬＥＤ１８０に流れる。
【００４６】
また、リアクトルＬ２に電流が流れる為、リアクトルＬ３、及びリアクトルＬ４は、リアクトルＬ２により発生する磁束を受けて電力を生成する。これにより、昇圧制御回路１５０及び降圧制御回路１６０は、生成された電力を受け取って動作する。この結果、昇圧回路１３０、及び降圧回路１４０は通常の動作を開始するとともに、所定の電力をＬＥＤ１８０に供給することができる。これにより、ＬＥＤ１８０が点灯する。
【００４７】
なお、ＬＥＤ１８０は、照明装置１００の電源回路と取り外し可能な状態で構成されていてもよい。この場合、照明装置１００は、ＬＥＤまたは他の発光素子を取り付け可能な端子を備える。
【００４８】
また、上記した実施形態では、降圧回路１４０として降圧チョッパを備える例について説明したが、この構成に限定されない。降圧回路１４０は、他の降圧素子により構成されていてもよい。
【００４９】
図２は、本発明の他の実施形態に係る照明装置２００の構成例について説明する為の説明図である。  
照明装置２００は、電力系統２１０、整流回路２２０、昇圧回路２３０、降圧回路２４０、昇圧制御回路２５０、降圧制御回路２６０、消灯回路２７０、半導体発光素子としてのＬＥＤ２８０、及び始動回路２９０を備える。なお、電力系統２１０、整流回路２２０、昇圧回路２３０、消灯回路２７０、ＬＥＤ２８０、及び始動回路２９０は、図１に示す電力系統１１０、整流回路１２０、昇圧回路１３０、消灯回路１７０、ＬＥＤ１８０、及び始動回路１９０と同様の構成であるので、詳細な説明を省略する。
【００５０】
降圧回路２４０は、フライバック回路からなり、トランス２４１、トランジスタＴｒ３、ダイオードＤ３、及びコンデンサＣ３を備える。トランス２４１は、磁気的に接続されたリアクトルＬ５とリアクトルＬ６とを備える。リアクトルＬ５は、トランスの一次側（入力側）に接続されている。また、リアクトルＬ６は、トランスの二次側（出力側）に接続されている。
【００５１】
トランジスタＴｒ３は、リアクトルＬ５と直列に接続されている。また、昇圧回路２３０のコンデンサＣ２と、トランジスタＴｒ３及びリアクトルＬ５とは、並列に接続されている。
【００５２】
ダイオードＤ３は、リアクトルＬ６と直列に接続されている。また、コンデンサＣ３は、ダイオードＤ３及びリアクトルＬ６と並列に接続されている。
【００５３】
リアクトルＬ５は、入力される電流に応じて磁束を発生させる。リアクトルＬ６は、リアクトルＬ５により発生した磁束を受けて電力を生成する。これにより、リアクトルＬ６は、二次側に電力を供給する。
【００５４】
リアクトルＬ５とリアクトルＬ６とは、巻き線の数が異なる。リアクトルＬ５の巻き線の数とリアクトルＬ６の巻き線の数との比は、リアクトルＬ５の入力端子の電圧とリアクトルＬ６の出力端子に生じる電圧との比に相当する。例えば、リアクトルＬ５の巻き線の数をリアクトルＬ６の巻き線の数より多くすることにより、トランス２４１は、電圧を巻き線の数の比に応じて降圧することができる。これにより、トランス２４１は、昇圧回路２３０から出力される高電圧を低電圧に変換する。
【００５５】
昇圧制御回路２５０は、予め設定されるデューティ比に基づいて、トランジスタＴｒ１のＯＮ／ＯＦＦを制御する為の制御信号を生成する。昇圧制御回路２５０は、生成した制御信号をトランジスタＴｒ１に入力することにより、トランジスタＴｒ１のＯＮ／ＯＦＦを制御する。これにより、昇圧回路２３０及び昇圧制御回路２５０は、コンデンサＣ２の両端に生じる電圧を制御する。即ち、昇圧回路２３０は、整流回路２２０の両端に生じる電圧を昇圧して出力する。
【００５６】
昇圧制御回路２５０は、降圧回路２４０のリアクトルＬ５と磁気的に接続されるリアクトルＬ７により生成される電力を受け取って動作する。リアクトルＬ７は、リアクトルＬ５を電流が通過することにより発生する磁束を受けて電力を生成し、生成した電力を昇圧制御回路２５０に供給する。
【００５７】
なお、昇圧制御回路２５０は、降圧回路２４０の内部、または降圧回路２４０の出力端子と電気的に接続することにより電力を受け取る構成であってもよい。この場合、昇圧制御回路２５０は、少なくとも、降圧回路２４０の動作に応じて電流がＯＮ／ＯＦＦする箇所から電力を受け取る。
【００５８】
降圧制御回路２６０は、ＬＥＤ２８０に流れる電流の電流値を検出する。降圧制御回路２６０は、予め設定される電流値と検出した電流値とに基づいて、トランジスタＴｒ３のＯＮ／ＯＦＦを制御する為の制御信号を生成する。降圧制御回路２６０は、生成した制御信号をトランジスタＴｒ３に入力することにより、トランジスタＴｒ３のＯＮ／ＯＦＦを制御する。これにより、降圧回路２４０及び降圧制御回路２６０は、コンデンサＣ３の両端に生じる電圧を制御する。即ち、降圧回路２４０は、コンデンサＣ３の両端に生じる電圧を制御することにより、ＬＥＤ２８０を流れる電流が一定の値になるように制御する。
【００５９】
降圧制御回路２６０は、降圧回路２４０のリアクトルＬ５と磁気的に接続されるリアクトルＬ８により生成される電力を受け取って動作する。リアクトルＬ８は、リアクトルＬ６を電流が通過することにより発生する磁束を受けて電力を生成し、生成した電力を降圧制御回路２６０に供給する。
【００６０】
なお、降圧制御回路２６０は、降圧回路２４０の内部、または降圧回路２４０の出力端子と電気的に接続することにより電力を受け取る構成であってもよい。この場合、降圧制御回路２６０は、少なくとも、降圧回路２４０の動作に応じて電流がＯＮ／ＯＦＦする箇所から電力を受け取る。
【００６１】
消灯手段として機能する消灯回路２７０から消灯信号が降圧制御回路２６０に入力される場合、降圧制御回路２６０は、降圧回路２４０のトランジスタＴｒ３をＯＦＦする。これにより、リアクトルＬ５に電流が流れなくなる。磁束が発生しない為、リアクトルＬ６から降圧回路２４０の二次側に供給される電力が途絶える。この結果、ＬＥＤ２８０は消灯する。
【００６２】
また、リアクトルＬ５を電流が流れない為、リアクトルＬ７から昇圧制御回路２５０に供給される電力が途絶える。また、リアクトルＬ８から降圧制御回路２６０に供給される電力が途絶える。
【００６３】
昇圧制御回路２５０は、電源系統２１０から電力の供給を受けていない為、動作を停止する。昇圧回路２３０のトランジスタＴｒ１は、昇圧制御回路２５０から信号が入力されない為ＯＦＦする。この為、昇圧回路２３０は、動作を停止する。
【００６４】
上記したように、照明装置２００の昇圧制御回路２５０は、降圧回路２４０の二次側から電力を受け取る。このように構成することにより、照明装置２００は、降圧制御回路２６０から降圧回路２４０を停止させる場合、昇圧回路２３０の動作を併せて停止させることができる。また、消灯回路２７０から昇圧制御回路２５０と降圧制御回路２６０との両方を停止させる場合と比べて、回路の構成を簡易にすることができる。
【００６５】
照明装置２００を点灯させる場合、照明装置２００は、電源系統２１０と整流回路２２０との間に設けられている図示しないスイッチをＯＮする。これにより、商用電源から整流回路に交流電力が供給される。
【００６６】
整流回路２２０は、交流電力を直流電力に変換する。整流回路２２０から出力される電圧は、始動回路２９０の抵抗Ｒ１、及び抵抗Ｒ２に印加される。抵抗Ｒ１、及び抵抗Ｒ２により分圧された電圧は、降圧回路２４０のトランジスタＴｒ３のベースに印加される。トランジスタＴｒ３は、ベースに印加される電圧により電流路をＯＮする。
【００６７】
これにより、整流回路２２０から出力される電流は、リアクトルＬ５に流れる。リアクトルＬ６は、リアクトルＬ５を電流が流れることにより発生する磁束を受けて電力を生成し、降圧回路２４０の二次側に供給する。これにより、ＬＥＤ２８０が点灯する。
【００６８】
また、リアクトルＬ７は、リアクトルＬ５を電流が流れることにより発生する磁束を受けて電力を生成し、電力を昇圧制御回路２５０に供給する。リアクトルＬ８は、リアクトルＬ５を電流が流れることにより発生する磁束を受けて電力を生成し、電力を降圧制御回路２６０に供給する。これにより、昇圧制御回路２５０及び降圧制御回路２６０は、動作する。この結果、昇圧回路２３０、及び降圧回路２４０は通常の動作を開始する。
【００６９】
また、上記した実施形態では、消灯回路１７０は降圧制御回路１６０に消灯信号を入力することにより、降圧回路１４０の動作を停止させる構成について説明したが、この構成に限定されない。消灯回路１７０から出力する制御信号を用いて降圧回路１４０を停止させる構成であってもよい。
【００７０】
図３は、本発明の他の実施形態に係る照明装置１００の構成例について説明する為の説明図である。なお、図１に示す構成と同様の構成には同じ参照を付し、詳細な説明を省略する。
【００７１】
図３に示す照明装置１００は、トランジスタＴｒ２のベースとトランジスタＴｒ２のエミッタとの間にトランジスタＴｒ４を備える。トランジスタＴｒ２のベースは、トランジスタＴｒ４のコレクタに接続されている。また、トランジスタＴｒ４のエミッタは、トランジスタＴｒ２のエミッタに接続されている。また、トランジスタＴｒ４のベースは、消灯回路１７０に接続されている。
【００７２】
消灯回路１７０は、消灯信号をトランジスタＴｒ４のベースに出力する。トランジスタＴｒ４は、消灯信号がベースに入力される場合、コレクターエミッタ間の電流路をＯＮする。コレクターエミッタ間の電流路がＯＮする場合、トランジスタＴｒ２のベースが短絡する為、トランジスタＴｒ２がＯＦＦする。これにより、降圧制御回路１６０からトランジスタＴｒ２に入力される制御信号が入力されない状態になる為、降圧回路１４０の動作が停止する。
【００７３】
即ち、消灯回路１７０は、トランジスタＴｒ４をＯＮすることにより、トランジスタＴｒ２をＯＦＦし、降圧回路１４０を停止させることができる。これにより、消灯回路１７０は、降圧回路１４０と昇圧回路１３０とを併せて停止させることができる。この構成によると、消灯回路１７０により降圧回路１４０の動作を停止させることができる為、降圧制御回路１６０を簡易な構成にすることができる。
【００７４】
なお、トランジスタＴｒ４のエミッタは、トランジスタＴｒ２のエミッタに接続されているとして説明したが、この構成に限定されない。トランジスタＴｒ４のエミッタは、トランジスタＴｒ２のベース以外であれば如何なる箇所に接続されていても良い。例えば、トランジスタＴｒ４のエミッタは、ＧＮＤに接続されていても良い。
【００７５】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【符号の説明】
【００７６】
１００…照明装置、１１０…電力系統、１２０…整流回路、１３０…昇圧回路、１４０…降圧回路、１５０…昇圧制御回路、１６０…降圧制御回路、１７０…消灯回路、１８０…ＬＥＤ、１９０…始動回路。
【図１】
0005499322.tif 000002
【図２】
0005499322.tif 000003
【図３】
0005499322.tif 000004